(57)【要約】【課題】高機能携帯端末の本体に変更処理を加えることなく高機能携帯端末におけるＮＦＣ処理部の起動状態を視認可能とし、電源部のバッテリー消耗度を低減可能な高機能携帯端末用ケースおよびその端末機能表示用ラベルを提供する。【解決手段】高機能携帯端末を収容するためのケースにコイル２７を設けることに着目し、近距離無線通信を行うためのＮＦＣ処理部を有する高機能携帯端末を収納するケース本体２１を有し、高機能携帯端末の表示部を外部から視認可能な主窓部２２をケース本体２１に形成している高機能携帯端末用ケースであって、ＮＦＣ処理部の動作時に、ＮＦＣ処理部との間で電磁誘導により交流電圧が生ずるコイル２７と、ＮＦＣ処理部が動作していることを、コイル２７に生じた交流電圧により表示するＮＦＣ動作表示部（発光ダイオード２９）と、をケース本体２１に設ける。【選択図】図１
2014096693.tif 000002
【特許請求の範囲】
【請求項１】
コマンドおよびデータを入力可能な入力部と、
この入力部により入力されたこれらコマンドおよびデータにしたがって必要な表示を行う表示部と、
近距離無線通信を行うためのＮＦＣ処理部と、を有する高機能携帯端末を収納するケース本体を有するとともに、
この高機能携帯端末の前記表示部を外部から視認可能な主窓部をこのケース本体に形成している高機能携帯端末用ケースであって、
前記ＮＦＣ処理部の動作時に、前記ＮＦＣ処理部との間で電磁誘導により交流電圧が生ずるコイルと、
前記ＮＦＣ処理部が動作していることを、このコイルに生じた前記交流電圧により表示するＮＦＣ動作表示部と、
を前記ケース本体に設けていることを特徴とする高機能携帯端末用ケース。
【請求項２】
前記ＮＦＣ動作表示部は、前記ケース本体に形成したＮＦＣ動作表示窓部を通して、これを外部から視認可能としていることを特徴とする請求項１記載の高機能携帯端末用ケース。
【請求項３】
前記ＮＦＣ動作表示部は、発光ダイオードからこれを構成していることを特徴とする請求項１または２記載の高機能携帯端末用ケース。
【請求項４】
前記コイルは、前記ケース本体の内壁面にこれを設けていることを特徴とする請求項１ないし３のいずれかに記載の高機能携帯端末用ケース。
【請求項５】
前記コイルに発光ダイオードを接続していることを特徴とする請求項１ないし４のいずれかに記載の高機能携帯端末用ケース。
【請求項６】
コマンドおよびデータを入力可能な入力部と、
この入力部により入力されたこれらコマンドおよびデータにしたがって必要な表示を行う表示部と、
近距離無線通信を行うためのＮＦＣ処理部と、を有する高機能携帯端末を収納するケース本体を有するとともに、
この高機能携帯端末の前記表示部を外部から視認可能な主窓部をこのケース本体に形成している高機能携帯端末用ケースに貼り付ける高機能携帯端末用ケースの端末機能表示用ラベルであって、
前記ケース本体の内壁面に貼り付け可能なラベル基材を有するとともに、
前記ＮＦＣ処理部の動作時に、前記ＮＦＣ処理部との間で電磁誘導により交流電圧が生ずるコイルと、
前記ＮＦＣ処理部が動作していることを、このコイルに生じた前記交流電圧により表示するＮＦＣ動作表示部と、
を前記ラベル基材に設けていることを特徴とする高機能携帯端末用ケースの端末機能表示用ラベル。
【発明の詳細な説明】
【技術分野】
【０００１】
本発明は高機能携帯端末用ケースおよびその端末機能表示用ラベルにかかるもので、とくに近距離無線通信（Ｎｅａｒ  Ｆｉｅｌｄ  Ｃｏｍｍｕｎｉｃａｔｉｏｎ：通称ＮＦＣ）の規格を搭載した高機能携帯端末を収容する高機能携帯端末用ケースおよびその端末機能表示用ラベルに関するものである。
【背景技術】
【０００２】
従来から、高機能携帯電話やタブレット端末など各種の高機能携帯端末が開発され実用に供されている。
図５および図６にもとづき概説する。
図５は、一般的な高機能携帯端末１の概略平面図、図６は、高機能携帯端末１の概略ブロック図であって、とくに図１に示すように、高機能携帯端末１は、端末本体２に、コマンドおよびデータを入力可能な入力部３と、この入力部３により入力されたこれらコマンドおよびデータにしたがって必要な表示を行う表示部４と、電源スイッチ５と、を有する。
【０００３】
入力部３は、操作スイッチ６その他任意の形態のスイッチ（図示せず）などを有する。なお、入力部３としては、表示部４から直接入力可能なタッチパネル入力方式などを採用可能であり、入力部３および表示部４を一体化した構成もある。
【０００４】
とくに図６に示すように、高機能携帯端末１は、制御部７と、上記入力部３および表示部４と、記憶部８と、通話処理部９と、近距離無線通信を行うためのＮＦＣ処理部１０と、電源部１１と、を有する。
【０００５】
制御部７は、記憶部８におけるＲＯＭなどに記憶している各種プログラムにしたがって、また、ＲＡＭなどの一時記憶デバイスを用いて、高機能携帯端末１について各種の制御処理を行う。
【０００６】
通話処理部９は、他の高機能携帯端末１との間で一般的な電話機能、およびメール通信やデータ通信機能を行うもので、通話アンテナ１２と、通話処理部９が動作していることを表示するための発光ダイオード（ＬＥＤ）１３と、を備えている。
【０００７】
ＮＦＣ処理部１０は、上記近距離無線通信（ＮＦＣ）を実行するもので、ＮＦＣアンテナ１４を備えている。
近距離無線通信（ＮＦＣ）とは、非接触による無線通信が可能なＲＦＩＤ（Ｒａｄｉｏ  Ｆｒｅｑｕｅｎｃｙ  Ｉｄｅｎｔｉｆｉｃａｔｉｏｎ）技術などで採用されている周波数１３．５６ＭＨｚの帯域を使用して、近接型の無線通信を行う規格であって、この通信規格を搭載した機器の間で近接距離（一般的には、１０ｃｍ程度）において双方向での通信にもとづく情報交換を可能としたもので、前記高機能携帯電話やタブレット端末など各種の高機能携帯端末１に採用されてきている。
したがって、高機能携帯端末１としては、ＮＦＣ通信規格を搭載した他の高機能携帯端末１、パソコンおよびプリンターやテレビはもちろん、各種の公共施設におけるデータ発信機器や広告機器などとの間で無線通信による双方向のデータ授受が可能で、各種の利用形態が考えられる。
【０００８】
しかしながら、現状では、高機能携帯端末１におけるＮＦＣ機能の認知度ないし周知度はまだ低く、高機能携帯端末１の初期設定として「ＮＦＣ機能オン」の状態のまま、すなわち、ＮＦＣ機能を実際に利用するか否かに関係なく、ＮＦＣ処理部１０のＮＦＣアンテナ１４から電波を発信し続けている状態のまま高機能携帯端末１を使用しているユーザーが多い。
ＮＦＣ処理部１０によるＮＦＣ機能を常に起動、動作させていると、電源部１１におけるバッテリーの消耗という問題があるとともに、表示部４にＮＦＣ処理部１０の動作状態を表示することはバッテリーをさらに余計に消耗することになるという問題がある。
【０００９】
さらに、ＮＦＣ機能には、ＮＦＣ規格を搭載した高機能携帯端末１どうしの間で各種のファイル（メールアドレス、動画ファイルその他）を交換可能な機能があるため、高機能携帯端末１の使用者の自覚がないまま、ＮＦＣ機能を常に起動し続けることはセキュリティの面からも問題がある。
しかして、高機能携帯端末１の本体自体には、電源部１１が起動、動作中であることを視認化する機能は組み込まれていないとともに、そのアプリケーションソフトも市場には出回っていない。
【先行技術文献】
【特許文献】
【００１０】
【特許文献１】特開２０１１−１００２８０号公報
【発明の概要】
【発明が解決しようとする課題】
【００１１】
本発明は以上のような諸問題にかんがみなされたもので、高機能携帯端末の本体に変更処理を加えることなく高機能携帯端末におけるＮＦＣ処理部の起動状態を視認可能とすることができる高機能携帯端末用ケースおよびその端末機能表示用ラベルを提供することを課題とする。
【００１２】
また本発明は、高機能携帯端末における電源部のバッテリー消耗度を低減可能な高機能携帯端末用ケースおよびその端末機能表示用ラベルを提供することを課題とする。
【００１３】
また本発明は、ＮＦＣ処理部の起動状態を表示する際にバッテリーの電力を消耗することがないようにした高機能携帯端末用ケースおよびその端末機能表示用ラベルを提供することを課題とする。
【００１４】
また本発明は、ＮＦＣ処理部の起動状態を使用者に明示して、高機能携帯端末のセキュリティを確保することに寄与可能な高機能携帯端末用ケースおよびその端末機能表示用ラベルを提供することを課題とする。
【課題を解決するための手段】
【００１５】
すなわち本発明は、高機能携帯端末を収容するためのケースにコイルを設けることに着目したもので、第一の発明は、コマンドおよびデータを入力可能な入力部と、この入力部により入力されたこれらコマンドおよびデータにしたがって必要な表示を行う表示部と、近距離無線通信を行うためのＮＦＣ処理部と、を有する高機能携帯端末を収納するケース本体を有するとともに、この高機能携帯端末の上記表示部を外部から視認可能な主窓部をこのケース本体に形成している高機能携帯端末用ケースであって、上記ＮＦＣ処理部の動作時に、上記ＮＦＣ処理部との間で電磁誘導により交流電圧が生ずるコイルと、上記ＮＦＣ処理部が動作していることを、このコイルに生じた上記交流電圧により表示するＮＦＣ動作表示部と、を上記ケース本体に設けていることを特徴とする高機能携帯端末用ケースである。
【００１６】
第二の発明は、コマンドおよびデータを入力可能な入力部と、この入力部により入力されたこれらコマンドおよびデータにしたがって必要な表示を行う表示部と、近距離無線通信を行うためのＮＦＣ処理部と、を有する高機能携帯端末を収納するケース本体を有するとともに、この高機能携帯端末の上記表示部を外部から視認可能な主窓部をこのケース本体に形成している高機能携帯端末用ケースに貼り付ける高機能携帯端末用ケースの端末機能表示用ラベルであって、上記ケース本体の内壁面に貼り付け可能なラベル基材を有するとともに、上記ＮＦＣ処理部の動作時に、上記ＮＦＣ処理部との間で電磁誘導により交流電圧が生ずるコイルと、上記ＮＦＣ処理部が動作していることを、このコイルに生じた上記交流電圧により表示するＮＦＣ動作表示部と、を上記ラベル基材に設けていることを特徴とする高機能携帯端末用ケースの端末機能表示用ラベルである。
【００１７】
上記ＮＦＣ動作表示部は、上記ケース本体に形成したＮＦＣ動作表示窓部を通して、これを外部から視認可能としていることができる。
【００１８】
上記ＮＦＣ動作表示部は、発光ダイオードからこれを構成していることができる。
【００１９】
上記コイルは、上記ケース本体の内壁面にこれを設けていることができる。
【００２０】
上記コイルに発光ダイオードを接続していることができる。
【発明の効果】
【００２１】
本発明による高機能携帯端末用ケースおよびその端末機能表示用ラベルにおいては、高機能携帯端末を収容するためのケースにコイルおよびＮＦＣ動作表示部（たとえば、発光ダイオード）を設けたので、ＮＦＣ処理部が起動しているときには、その発信電波との間の電磁誘導作用で発生した交流電圧によりＮＦＣ動作表示部を介して（たとえば、発光ダイオードの発光により）ＮＦＣ処理部の起動状態を表示可能とし、使用者に注意を喚起することができる。
【００２２】
とくに第一の発明の高機能携帯端末用ケースによれば、高機能携帯端末の端末本体ではなく、ケース自体にコイルおよびＮＦＣ動作表示部を設けているので、任意の高機能携帯端末のケースとして採用することによりＮＦＣ処理部の起動状態を表示可能である。
【００２３】
とくに第二の発明の高機能携帯端末用ケースの端末機能表示用ラベルによれば、コイルおよびＮＦＣ動作表示部をラベルに設けるようにしたので、任意の高機能携帯端末用ケースの内壁面側に必要に応じてこれを貼り付けることにより、ＮＦＣ処理部の起動状態を表示可能なケースとすることができる。
【図面の簡単な説明】
【００２４】
【図１】本発明の第１の実施例（第一の発明）による高機能携帯端末用ケース２０の斜視図である。
【図２】同、高機能携帯端末用ケース２０に高機能携帯端末１（図５）を収容した状態の平面図である。
【図３】同、ケース本体２１（下ケース本体２１Ｂ）の平面図である。
【図４】本発明の第２の実施例（第二の発明）による高機能携帯端末用ケースの端末機能表示用ラベル３０の説明図であって、図４（１）は高機能携帯端末用ケースの端末機能表示用ラベル３０の斜視図、図４（２）は、図４（１）の（２）−（２）線断面図である。
【図５】一般的な高機能携帯端末１の概略平面図である。
【図６】同、高機能携帯端末１の概略ブロック図である。
【発明を実施するための形態】
【００２５】
本発明は、高機能携帯端末のＮＦＣ処理部との間で電磁誘導作用で起電力を発生するコイルをケースないしラベルに設けるようにしたので、ＮＦＣ処理部が起動していることをＮＦＣ動作表示部により使用者に明示し、その注意を喚起してバッテリーの消耗を抑制可能とするとともに、高機能携帯端末としてのセキュリティ確保にも寄与することができる高機能携帯端末用ケースおよびその端末機能表示用ラベルを実現した。
【実施例】
【００２６】
つぎに本発明の第１の実施例（第一の発明）による高機能携帯端末用ケース２０を図１ないし図３にもとづき説明する。ただし、図５および図６と同様の部分には同一符号を付し、その詳述はこれを省略する。
図１は、高機能携帯端末用ケース２０の斜視図、図２は、同、高機能携帯端末用ケース２０に前記高機能携帯端末１（図５）を収容した状態の平面図であって、高機能携帯端末用ケース２０は、高機能携帯端末１を収納するケース本体２１を有する。
【００２７】
ケース本体２１は、所定の剛性ないし弾性を有するプラスチック材料からこれを構成するもので、上ケース本体２１Ａおよび下ケース本体２１Ｂを互いに係脱可能に組み合わせ可能として、その内部に高機能携帯端末１を収容可能としている。
【００２８】
上ケース本体２１Ａは、高機能携帯端末１の少なくとも前記表示部４を外部から視認可能な主窓部２２と、前記操作スイッチ６を外部から操作可能な操作スイッチ窓部２３と、前記発光ダイオード１３を外部から視認可能な発光ダイオード窓部２４と、ＮＦＣ動作表示部（発光ダイオード３０、図３において後述）を外部から視認可能なＮＦＣ動作表示窓部２５と、を形成している。
なお、上ケース本体２１Ａおよび下ケース本体２１Ｂの境界部に前記電源スイッチ５を操作可能な電源スイッチ窓部２６を形成している。
【００２９】
図３は、ケース本体２１（下ケース本体２１Ｂ）の平面図で、下ケース本体２１Ｂの内壁面にリング状のコイル２７を設けている。
コイル２７には、リード線２８を介して発光ダイオード２９（ＮＦＣ動作表示部）を接続している。
リード線２８の長さを調節して、この発光ダイオード２９を上ケース本体２１ＡのＮＦＣ動作表示窓部２５の部位に位置させ、ＮＦＣ動作表示窓部２５を通してその発光を外部から使用者が視認可能である。
【００３０】
コイル２７は、ＮＦＣアンテナ１４が発する周波数１３．５６ＭＨｚの電波を受けて電磁誘導により交流電圧を生じ、発光ダイオード２９を発光させることができる。
【００３１】
コイル２７は、エナメル線などによる銅製の巻き線、銅あるいはアルミニウムなどによるエッチング、さらには、銀ペーストなどによる導電インキの印刷などによりこれを形成可能である。
【００３２】
なお、上述のコイル２７については、既述のようにこれを下ケース本体２１Ｂの内壁面に設ける以外にも、ケース本体２１（上ケース本体２１Ａ、下ケース本体２１Ｂ）の製造時に、その内部にインモールドした構成とすることもできる。
【００３３】
こうした構成の高機能携帯端末用ケース２０において、図２に示したように高機能携帯端末用ケース２０に高機能携帯端末１を収容して使用する際に、ＮＦＣ処理部１０が起動、動作状態にあるときには、そのＮＦＣアンテナ１４から常に電波を発信しており、コイル２７はその電波を受け、電磁誘導作用により発生した交流電圧により発光ダイオード２９を発光させる。
したがって、使用者は、この発光ダイオード２９の発光をＮＦＣ動作表示窓部２５を通して確認することができ、ＮＦＣ処理部１０が起動あるいは動作していることを意識し、高機能携帯端末１のセキュリティ確保の認識を新たにすることができる。
もちろん使用者としては、ＮＦＣ処理部１０の起動、動作中のままでよければ、ＮＦＣ処理部１０について高機能携帯端末１を何も操作する必要はないが、電源部１１のバッテリーを消耗したくなければ、高機能携帯端末１の入力部３および表示部４を操作してそのアプリケーションソフトを非動作状態に設定しておくことができる。
すなわち、発光ダイオード２９の発光を認識して、「ＮＦＣ機能オフ」と設定し、使用のたびに「ＮＦＣ機能オン」に設定し直すかはユーザーの自由である。
【００３４】
本発明においては、高機能携帯端末用ケース２０としてコイル２７および発光ダイオード２９（ＮＦＣ動作表示部）を備えればよいもので、上述した第１の実施例のようにケース本体２１（下ケース本体２１Ｂ）の内壁面にコイル２７を形成することもできるが、コイル２７を封入したラベル形態としても実施が可能である。
すなわち、図４は、本発明の第２の実施例（第二の発明）による高機能携帯端末用ケースの端末機能表示用ラベル３０の説明図であって、図４（１）は高機能携帯端末用ケースの端末機能表示用ラベル３０の斜視図、図４（２）は、図４（１）の（２）−（２）線断面図である。
端末機能表示用ラベル３０は、ラベル基材３１と、ラベル基材３１の裏面側に形成した粘着剤層３２と、前記コイル２７および前記発光ダイオード２９と、を有する。
なお、粘着剤層３２に仮着する剥離紙３３を設ければ、端末機能表示用ラベル３０の取扱いに便利である。
【００３５】
端末機能表示用ラベル３０では、粘着剤層３２と剥離紙３３との間にコイル２７を配置するとともに、コイル２７から引き出したリード線２８に発光ダイオード２９を接続しているもので、剥離紙３３を剥離することにより粘着剤層３２を露出させ、コイル２７および発光ダイオード２９付きの端末機能表示用ラベル３０として、これを任意の部位に貼り付けることができる。
【００３６】
こうした構成の端末機能表示用ラベル３０を用いれば、たとえば市販されている一般的なケース本体２１における下ケース本体２１Ｂの裏面側に端末機能表示用ラベル３０を貼り付けることにより、コイル２７および発光ダイオード２９を配置することが可能となる。
したがって、既述の高機能携帯端末用ケース２０（図１）と同様に、高機能携帯端末１におけるＮＦＣ処理部１０が起動、動作していることを、発光ダイオード２９により表示することができる。
【符号の説明】
【００３７】
１  高機能携帯端末（図５）
２  端末本体
３  入力部
４  表示部
５  電源スイッチ
６  操作スイッチ
７  制御部
８  記憶部
９  通話処理部
１０  ＮＦＣ（近距離無線通信）処理部
１１  電源部
１２  通話アンテナ
１３  発光ダイオード
１４  ＮＦＣアンテナ
２０  高機能携帯端末用ケース（第１の実施例、第一の発明、図１）
２１  ケース本体
２１Ａ  ケース本体２１の上ケース本体
２１Ｂ  ケース本体２１の下ケース本体
２２  主窓部
２３  操作スイッチ窓部
２４  発光ダイオード窓部
２５  ＮＦＣ動作表示窓部
２６  電源スイッチ窓部
２７  コイル
２８  リード線
２９  発光ダイオード（ＮＦＣ動作表示部）
３０  端末機能表示用ラベル（第２の実施例、第二の発明、図４）
３１  ラベル基材
３２  粘着剤層
３３  剥離紙
【図１】
2014096693.tif 000003
【図２】
2014096693.tif 000004
【図３】
2014096693.tif 000005
【図４】
2014096693.tif 000006
【図５】
2014096693.tif 000007
【図６】
2014096693.tif 000008